(57)【要約】【課題】  取付部のスペースを大きくすることなく、比較的大きな組付け誤差でも吸収できるようにする。【解決手段】  互いに嵌合可能なメスコネクタとオスコネクタを有し、夫々のコネクタに夫々接続された複数の電気接続部材間の電気的接続に使用される自動調芯コネクタにおいて、前記メスコネクタが一方の取付部に固定されるとともに、前記オスコネクタがコネクタカバー及びスライドプレートを介して他方の取付部に固定され、前記メスコネクタに取付けられるコネクタカバー１に当該コネクタカバー１の平面を基準とした前後左右であって先端が中央部近くに位置する４つの弾性爪６〜９を形成し、前記他方の取付部に固定されるスライドプレート２に前記４つの弾性爪６〜９がセットされる孔３と溝５を形成し、これら弾性爪６〜９がスライドプレート２の前後左右の動きに追従するように弾性変形する。【選択図】  図１
2006244969.tif 000002
【特許請求の範囲】
【請求項１】
互いに嵌合可能なメスコネクタとオスコネクタを有し、夫々のコネクタに夫々接続された複数の電気接続部材間の電気的接続に使用される自動調芯コネクタにおいて、
前記メスコネクタが一方の取付部に固定されるとともに、前記オスコネクタがコネクタカバー及びスライドプレートを介して他方の取付部に固定され、
前記メスコネクタに取付けられるコネクタカバーに当該コネクタカバーの平面を基準とした前後左右であって先端が中央部近くに位置する４つの弾性爪を形成し、
前記他方の取付部に固定されるスライドプレートに前記４つの弾性爪がセットされる孔と溝を形成し、
これら弾性爪がスライドプレートの前後左右の動きに追従するように弾性変形することを特徴とする自動調芯用コネクタ。
【請求項２】
前記コネクタカバーの上面中央部から立上って形成された枠体の内側にスライドプレートの孔にセットされる３つの弾性爪を形成したことを特徴とする請求項１に記載の自動調芯用コネクタ。
【請求項３】
前記３つの弾性爪と枠体との間隙の広さにより弾性爪の撓み量を調節できるようにしたことを特徴とする請求項２に記載の自動調芯用コネクタ。
【発明の詳細な説明】
【技術分野】
【０００１】
本発明は、自動車等のモジュール部品の組付け時に用いられる自動調芯機能を備えた自動調芯用コネクタに関する。
【背景技術】
【０００２】
従来の自動調芯機能を備えたコネクタとしては、図７に示すようにメスコネクタ１００とオスコネクタ１０１とを嵌合させるとき、例えば自動車のインストールメントパネルの隔壁の開口に嵌め込まれるメスコネクタ１００に４つのバネ片１０２が設けられていて、これらのバネ片１０２で係止されたメスコネクタ１００の案内突出部１０３がオスコネクタ１０１の案内溝１０４に挿入されるようになっている。案内突出部１０３の内部には、例えばオーディオのアンテナ用プラグ１０５を挿入し、このプラグ１０５が案内溝１０４内のアンテナ用ジャックに挿入されるが、このとき、プラグ１０５とジャックの軸心がずれていても、バネ片１０２の弾性変形により位置ずれを解消、すなわち調芯できるようになっているものである（特許文献１参照）。
【特許文献１】特開２０００−２１５９４４号公報（第６頁、図３）
【発明の開示】
【発明が解決しようとする課題】
【０００３】
従来の自動調芯コネクタは、調心手段としてのバネ片を４ヶ所設ける必要があり、相手方と嵌合する際にこのバネ片が撓むことで組付け誤差を吸収していたが、比較的小さな誤差は吸収することができても、大きな誤差を吸収するには、バネ片の撓み量を大きくするしかなく、撓み量を大きくするとメスコネクタの取付部（隔壁の開口）を大きくしなければならず、スペースがとれない場所での取付けは困難若しくは不可能であった。
【０００４】
そこで、本発明は、取付部のスペースを大きくすることなく、比較的大きな組付け誤差でも吸収でき、調芯機能が高く、コンパクト化が可能な自動調芯用コネクタを提供することを目的とする。
【課題を解決するための手段】
【０００５】
上述の目的を達成するため、本発明は、互いに嵌合可能なメスコネクタとオスコネクタを有し、夫々のコネクタに夫々接続された複数の電気接続部材間の電気的接続に使用される自動調芯コネクタにおいて、前記メスコネクタが一方の取付部に固定されるとともに、前記オスコネクタがコネクタカバー及びスライドプレートを介して他方の取付部に固定され、前記メスコネクタに取付けられるコネクタカバーに当該コネクタカバーの平面を基準とした前後左右であって先端が中央部近くに位置する４つの弾性爪を形成し、前記他方の取付部に固定されるスライドプレートに前記４つの弾性爪がセットされる孔と溝を形成し、これら弾性爪がスライドプレートの前後左右の動きに追従するように弾性変形するものである。
【発明の効果】
【０００６】
本発明によれば、互いに嵌合可能なメスコネクタとオスコネクタを有し、夫々のコネクタに夫々接続された複数の電気接続部材間の電気的接続に使用される自動調芯コネクタにおいて、前記メスコネクタが一方の取付部に固定されるとともに、前記オスコネクタがコネクタカバー及びスライドプレートを介して他方の取付部に固定され、前記メスコネクタに取付けられるコネクタカバーに当該コネクタカバーの平面を基準とした前後左右であって先端が中央部近くに位置する４つの弾性爪を形成し、前記他方の取付部に固定されるスライドプレートに前記４つの弾性爪がセットされる孔と溝を形成し、これら弾性爪がスライドプレートの前後左右の動きに追従するように弾性変形するので、比較的大きな組立て誤差も弾性爪の変形により吸収し、調芯機能に優れたものとなる。また、弾性爪がコネクタカバーの外周から外に出るものではないので取付部を大きくする必要もない。さらに、弾性爪の先端がコネクタカバーの中央部近くに位置するので、調芯手段をコンパクト化できる。調芯手段をコンパクト化できるため、全体のコンパクト設計も可能となり、ハーネスの軽量化、低コスト化を実現できる。
【発明を実施するための最良の形態】
【０００７】
以下に、本発明の実施形態を図面を参照にして説明する。
【０００８】
図１に示す実施形態では、自動車のモジュール部品組付用のものを示し、例えば自動車車体１０に固定される取付金具２０（一方の取付部）にメスコネクタ３０が取付けられ、このメスコネクタ３０にオスコネクタ４０が嵌合され、オスコネクタ４０にコネクタカバー１がかぶさり、コネクタカバー１にスライドプレート２が取付けられている。このスライドプレート２は、例えば自動車のセンターコンソールパネル５０（他方の取付部）に固定される（図２参照）。前記スライドプレート２は、上プレート２Ａに凹字状の孔３を形成することで中央に突片４を設けてあり、上プレート２Ａに間隙を設けて取付けられた下プレート２Ｂに溝５を形成してある。前記コネクタカバー１には、４つの弾性爪６〜９（弾性爪９は図１上見えない）が形成してあり、弾性爪６〜８が前記孔３内にセットされ、それらの先端がコネクタカバー１の中央部に設けられた突片４の３つの側面に接触することになる。図１において、コネクタカバー１の平面を基準とした前後左右方向をＸＹの矢印で示し、これらＸ方向とＹ方向に夫々２つの弾性爪６，７と８，９が位置する。また、弾性爪６〜８の先端は、コネクタカバー１の中央部近くに位置している。
【０００９】
図２は、組付け後の部分断面を示し、オスコネクタ４０は本体部１１がホルダー１２内に収まり、この本体部１１に図示しないワイヤハーネスの端末部から露出された複数の電線１３がプラグ型接続端子１４とレセプタクル型接続端子１５に接続されている。前記レセプタクル型接続端子１５は、メスコネクタ３０の端子収容室１６に収容されている。前記オスコネクタ４０のホルダー１２の鍔部１７は、コネクタカバー１の係止部１８へ差し込まれてオスコネクタ４０にコネクタカバー１が取付けられる。
【００１０】
図３及び図４は、コネクタカバー１とスライドプレート２の組付け前の裏面側と表面側とから見た斜視図であり、コネクタカバー１の短辺側両側部に係止部１８が形成され、この係止部１８に先のホルダー１２の鍔部１７が差し込まれて係止される。また、コネクタカバー１の中央にその先端が位置するように弾性爪９を切り欠いて形成してあり、この弾性爪９の膨出した先端がスライドプレート２の下プレート２Ｂに形成された溝５に嵌まり込む。３つの弾性爪６〜８は、コネクタカバー１の上面中央部から立上って形成された枠体１９の内側に弾性爪６〜８の基端が連結されるように形成されている。弾性爪６〜８は、枠体１９との連結部から枠体１９と平行に伸びて先端が膨出している。弾性爪６〜８の枠体１９の内側からの間隔を広く形成すれば、弾性爪６〜８の撓み量を大きくすることができ、比較的大きな寸法誤差も吸収でき、しかも弾性爪６〜９のいずれもコネクタカバー１の外周の外側へ突出するのではなく中央に向かうので、スライドプレート２を大きくする必要もなく、したがってスライドプレート２の取付面を大きくしなくていい。前記スライドプレートの表面側には、凹字状の孔３が形成されていて、それにより中央部分に突片４が設けられる。前記弾性爪６〜８は、孔３内にセットされ、それらの先端は突片４の３つの側面に接触する。
【００１１】
図５及び図６は、コネクタカバー１とスライドプレート２とを組付けた状態の裏面斜視図と表面斜視図である。図６において他方の取付部（パネル５０）に固定されたスライドプレート２に対してコネクタカバー１がＸＹ方向（前後左右）に移動できるので、端子１４，１５の調心が行える。このとき、弾性爪６〜９が撓むことによりＸＹ方向の動きを可能とする。４つの弾性爪６〜９は、コネクタカバー１の平面を基準とした前後左右（ＸＹ方向）であって先端が中央部近くに位置するように設けてあることが重要であり、中央部の一定の領域内で弾性爪６〜９が撓むことで、当該調芯手段のコンパクト化が図れ、全体のコンパクト設計も可能となる。
【図面の簡単な説明】
【００１２】
【図１】全体斜視図。
【図２】組付け時の部分的断面図。
【図３】コネクタカバーとスライドプレートの組付け前の裏面斜視図。
【図４】図３の表面斜視図。
【図５】コネクタカバーとスライドプレートの組付け後の裏面斜視図。
【図６】図５の表面斜視図。
【図７】従来例の斜視図。
【符号の説明】
【００１３】
１    コネクタカバー
２    スライドプレート
３    孔
４    突片
５    溝
６〜９  弾性爪
１０，５０  取付部
【図１】
2006244969.tif 000003
【図２】
2006244969.tif 000004
【図３】
2006244969.tif 000005
【図４】
2006244969.tif 000006
【図５】
2006244969.tif 000007
【図６】
2006244969.tif 000008
【図７】
2006244969.tif 000009